【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
宇宙発電システムであって、該宇宙発電システムが、以下：
宇宙空間にある複数の発電システム要素であって、該複数の発電システム要素が、宇宙空間にある１つの発電システム要素から太陽光線を受容し、宇宙空間にある別の発電システム要素に該太陽光線を伝送する、宇宙空間にある少なくとも１つの中間発電システム要素を備える、複数の発電システム要素と、
分散制御システムであって、該宇宙空間にある複数の発電システム要素が、該分散制御システムの制御システム構成要素を備える、分散制御システムと、を含み、
該複数の発電システム要素のうちの１つ以上の該要素は、自由に漂っており、また該複数の発電システム要素は、太陽光線を捕集し、該捕集された太陽光線から電気エネルギーを発生させ、さらに該電気エネルギーを所定場所へ伝送するための形態に変換することができるように配置されており、
該分散制御システムは、隣接する発電システム要素の制御システム構成要素間の連絡に基づいて、１つ以上の該自由に漂っている発電システム要素の配列を維持する、
宇宙発電システム。
【請求項２】
前記複数の要素は、鏡を含む、請求項１に記載のシステム。
【請求項３】
前記鏡は、該鏡上の光子圧力を低減させる光学コーティングを含む、請求項２に記載のシステム。
【請求項４】
前記所定場所は、惑星を含む、請求項１に記載のシステム。
【請求項５】
前記複数の要素は、
主鏡と、
第１の中間鏡であって、該主鏡は、太陽光線を該中間鏡の方へ反射する、第１の中間鏡と、
発電モジュールであって、該第１の中間鏡は、太陽光線を該発電モジュールの方へ向け、該発電モジュールは、電気エネルギーを発生させる、発電モジュールと、
エミッタと、
反射鏡と、
を含み、
該エミッタは、該発生された電気エネルギーを伝送可能な形態に変換し、該変換されたエネルギーは、該反射鏡に供給され、該反射鏡は、該変換されたエネルギーを該所定場所にある受信装置へ伝送するように構成されている、請求項１に記載のシステム。
【請求項６】
前記システムは、第２の中間鏡をさらに含み、前記主鏡は、太陽光線を前記第１の中間鏡の方へ反射し、また該第１の中間鏡は、該太陽光線を該第２の中間鏡の方へ反射し、さらに該第２の中間鏡は、太陽光線を前記発電モジュールの方へ反射する、請求項５に記載のシステム。
【請求項７】
前記中間鏡は、前記主鏡の前記配向を追尾し、このため、該中間鏡および主鏡は、相互にかつ前記太陽に位置合わせされたままの状態になる、請求項５に記載のシステム。
【請求項８】
前記発電モジュールが光起電モジュールを含み、該光起電モジュールの太陽電池は、前記エミッタと同じ場所に配置されている、請求項５に記載のシステム。
【請求項９】
前記変換されたエネルギーは、無線周波数エネルギーまたは光エネルギーを含む、請求項１に記載のシステム。
【請求項１０】
前記制御システムは、前記複数の要素すべての前記配列を維持する、請求項１に記載のシステム。
【請求項１１】
前記制御システムのすべてが、宇宙空間に置かれている、請求項１に記載のシステム。
【請求項１２】
前記制御システムの特定の構成要素が、地球上に置かれている、請求項１に記載のシステム。
【請求項１３】
前記制御システムは、変位要素を含み、該変位要素を選択的に作動させることにより、宇宙空間にある要素の配列を調整する、請求項１に記載のシステム。
【請求項１４】
前記制御システムは、複数のセンサーを含み、２つの要素のセンサーのデータを比較して該２つの要素が適切に配列されているか否かを判断する、請求項１に記載のシステム。
【請求項１５】
前記要素は、太陽風によって該要素の前記配列が調整されるように構成されている、請求項１に記載のシステム。
【請求項１６】
前記発電システム要素は、静電気力によって該発電システム要素の前記配列が調整されるように構成されている、請求項１に記載のシステム。
【請求項１７】
前記複数の要素は、直接放射型アレイアンテナまたは位相アレイアンテナを含み、該アンテナは、前記電気エネルギーを前記所定場所へ伝送する、請求項１に記載のシステム。
【請求項１８】
前記発電システム要素のうちのすべての要素は、宇宙空間にある、請求項１に記載のシステム。
【請求項１９】
一種以上の発電システム要素が、選択された波長の入射太陽光を反射する、請求項１に記載のシステム。
【請求項２０】
前記制御システムが、宇宙空間において自由に漂っている複数の発電システム要素の光学的な配列を維持する、請求項１に記載のシステム。
【請求項２１】
宇宙発電システムであって、以下：
宇宙空間にある複数の発電システム要素であって、該複数の要素は、
主鏡と、
中間鏡であって、該主鏡は、太陽光線を該中間鏡の方へ向ける、中間鏡と、
発電モジュールであって、該中間鏡は、太陽光線を該発電モジュールの方へ向け、該発電モジュールは、直流電気を発電する、発電モジュールと、
エミッタであって、該エミッタは、該直流電気をＲＦまたは光エネルギーに変換する、エミッタと、
反射鏡であって、該エミッタは、該ＲＦまたは光エネルギーを該反射鏡の方へ向け、さらに該反射鏡は、該ＲＦまたは光エネルギーを所定場所にある受信装置の方へ向ける、反射鏡と、
を含む発電システム要素、および
分散制御システムであって、
複数のセンサーと、
複数の変位部材と、
を含む分散制御システム
を含み、
該複数の発電システム要素のうちの１つ以上の要素は、自由に漂っており、宇宙空間にある各それぞれの発電システム要素は、センサーおよび変位要素を含み、該制御システムは、センサーデータに呼応して変位部材を選択的に作動させることによって宇宙空間にある該自由に漂っている１つ以上の発電システム要素の配列を維持している、宇宙発電システム。
【請求項２２】
前記発電システム要素のうちのすべての要素が、宇宙空間にある、請求項２１に記載のシステム。
【請求項２３】
前記制御システムが、宇宙空間において自由に漂っている複数の発電システム要素の光学的な配列を維持する、請求項２１に記載のシステム。
【請求項２４】
宇宙空間で発電し、該発電された電力を所定場所へ伝送するように発電システム要素を配列する方法であって、該方法は、
複数の発電システム要素および分散制御システムを宇宙空間に打ち上げ、該複数の発電システム要素のうちの１つ以上の発電システム要素を宇宙空間に自由に漂わせる工程であって、該分散制御システムが、宇宙空間にある該複数の発電システム要素上に構成要素を備える工程と、
宇宙空間に該複数の発電システム要素を位置付ける工程であって、該複数の発電システム要素が、宇宙空間にある１つの発電システム要素から太陽光線を受容し、宇宙空間にある別の発電システム要素に該太陽光線を伝送する、宇宙空間にある少なくとも１つの中間発電システム要素を備える、工程と、
隣接する発電システム要素の制御システム構成要素間の連絡に基づいて、該分散制御システムを使って該自由に漂っている発電システム要素の配列を維持し、これにより、
太陽光線を捕集し、
該捕集された太陽光線から電気エネルギーを発生させ、さらに
該電気エネルギーを該所定場所へ伝送するための適切な形態に変換することができるように該発電システム要素を構成する工程と、
を含む、方法。
【請求項２５】
前記発電システム要素のうちのすべての要素は、宇宙空間にある、請求項２４に記載の方法。
【請求項２６】
前記制御システムが、宇宙空間において自由に漂っている複数の発電システム要素の光学的な配列を維持する、請求項２４に記載のシステム。
【手続補正２】
【補正対象書類名】明細書
【補正対象項目名】００３５
【補正方法】変更
【補正の内容】
【００３５】
たとえば、図１Ｂ〜Ｄを説明すれば、別の好ましい実施形態において、主鏡２は、４つのセンサーを含み、中間鏡４および５は、８つのセンサーを含む。図１Ｃおよび１Ｄは、１つの可能なセンサー配置を示す断面図である。例示の好ましい実施形態においては、主鏡２上の４つの近接制御システムセンサー２ａおよび対応する鏡４上の４つのセンサー４ａは、相互に直視または通信することができるように配置されている。同様に、鏡４上のその他の４つの近接制御システムセンサー４ａおよび対応する鏡５上の４つのセンサー５ａは、相互に通信することができるように配置されている。鏡５上のその他の４つのユニット５ａおよび発電モジュール８上の４つのユニット８ａは、相互に通信することができるように配置されている。そのうえ、エミッタ９上の４つのユニット９ａおよび反射板１０上の４つのユニット１０ａは、相互に通信することができるように配置されている。
【手続補正３】
【補正対象書類名】明細書
【補正対象項目名】００４７
【補正方法】変更
【補正の内容】
【００４７】
図５について説明すれば、１つの好ましい実施形態において、宇宙発電システムは、放物線および双曲線形状レンズ、たとえば、カサグレイン光学システム、膨張式鏡、および膜支持要素を含むレンズシステムを含む。さらに詳しく述べれば、このシステムは、主鏡２、鏡５０、膜５０ａ〜ｄ、たとえば、透明な膜、第１の中間鏡４、集光装置６、太陽電池７、ＲＦまたは光の発電モジュール８、ＲＦ伝送送り装置または光エミッター９、および熱板１１（図１にあるとおり）を含むモジュール、第２の中間鏡５２、および反射板１０を含む。
【手続補正４】
【補正対象書類名】明細書
【補正対象項目名】００６０
【補正方法】変更
【補正の内容】
【００６０】
図１１について説明すれば、別の好ましい実施形態においては、集光装置なしで発電サブシステムを構成することができる。したがって、光起電モジュール８、エミッタ９、反射板１０、およびパネル構成要素をともに一体化し、電力ケーブル１１０および電気スリップリング１１２または他の適切な連結器によって太陽電池７に接続することができる。太陽光線が太陽電池の上に入射すると、太陽電池によって発電されたＤＣ電気は、ケーブル１１０を介してモジュール（８、９、１０、１１）に供給される。モジュールは、ＤＣ電気をＲＦまたは光電力に変換し、さらにエミッタ９は、ＲＦまたは光電力出力を位相アレイアンテナ１９に供給する。
【手続補正５】
【補正対象書類名】図面
【補正対象項目名】全図
【補正方法】変更
【補正の内容】
【図１−１】
2006507974.tif 000001
【図１−２】
2006507974.tif 000002
【図１−３】
2006507974.tif 000003
【図２】
2006507974.tif 000004
【図３】
2006507974.tif 000005
【図４】
2006507974.tif 000006
【図５】
2006507974.tif 000007
【図６】
2006507974.tif 000008
【図７】
2006507974.tif 000009
【図８】
2006507974.tif 000010
【図９】
2006507974.tif 000011
【図１０】
2006507974.tif 000012
【図１１】
2006507974.tif 000013
【図１２】
2006507974.tif 000014
【図１３】
2006507974.tif 000015
【図１４】
2006507974.tif 000016
【図１５】
2006507974.tif 000017
【図１６】
2006507974.tif 000018
【図１７】
2006507974.tif 000019